(57)【要約】【課題】ＩＴの知識に疎い者もＩＴ活用に興味を持ち、容易にＩＴ活用ができるようにして、情報化の促進を図る。【解決手段】ＩＴ活用に関する種々の情報を格納するデーダベース群１５〜１９を具備するサービスセンタ１から、利用者にＩＴ活用に興味を持たせる動画を、ネットワーク５を通じて動画投影端末２に配信し、表示する。動画投影端末２を公共施設や街中など人目につくところに設置し、そのそばに検索・表示端末３を置く。配信された動画に興味を持った利用者が、より詳しくＩＴ活用情報等が欲しいと思った場合、検索・表示装置３から検索し、ネットワークを通じてサービスセンタから検索結果を得る。さらに、サービスセンタ１には、ネットワーク５を通じて情報登録端末４も接続する。ＩＴ活用者は、提供したいＩＴ活用情報を、情報登録端末４からのデータベース群に登録する。【選択図】　　　　図１
2004038324.tif 000002
【特許請求の範囲】
【請求項１】
ＩＴ活用に関する情報をネットワークを介して利用者に提供するＩＴ活用情報表示システムにおいて、
ＩＴ活用に関する種々の情報を格納するデータベース群を具備するサービスセンタと、
前記サービスセンタから配信されるＩＴ活用に関する動画情報を受信および表示する動画投影端末と、
前記サービスセンタから送信される、前記動画情報に関連した情報を受信および表示し、利用者からの検索要求を前記サービスセンタへ送信し、前記サービスセンタからの検索結果を受信および表示する検索・表示端末と、
前記データベース群に対して情報を登録する情報登録端末と、
を有することを特徴とするＩＴ活用情報表示検索システム。
【請求項２】
請求項１記載のＩＴ活用情報表示システムにおいて、
サービスセンタは、登録された配信スケジュールに従って、データベース群からの動画情報および関連する情報を取り出し、動画投影端末および検索・表示端末へ配信・送信する手段と、検索・表示端末からの検索要求に応じて、データベス群を検索し、検索結果を検索・表示端末へ送信する手段と、情報登録端末から情報を受け付け、データベース群に登録する手段を有することを特徴とするＩＴ活用情報表示検索システム。
【請求項３】
請求項１、２記載のＩＴ活用情報表示システムにおいて、
データベース群は、動画投影端末に配信する動画情報を格納する動画データベースと、ＩＴ活用の文字情報、静止画情報、動画情報等の活用情報を格納する活用情報データベースと、ＩＴ活用に関する講習スケジュール情報等を格納する講習スケジュール情報等デーダベースと、ＩＴ活用に関する教材情報を格納する教材情報データベースと、前記活用情報の活用者の情報を格納する活用者情報データベースとからなることを特徴とするＩＴ活用情報表示検索システム。
【請求項４】
請求項３記載のＩＴ活用情報表示システムにおいて、
動画データベースは、動画情報毎に、配信する動画データと、当該情報に関連した活用情報および活用者情報の識別情報を含み、
活用情報データベースは、活用情報毎に、当該活用情報の識別情報、活用者情報の識別情報、文字情報・静止画情報・動画情報、及び当該活用情報に関連した教材情報の識別情報を含み、
講習スケジュール情報等データベースは、講習スケジュールとして講習名、日程、開催場所、参加方法、関連した教材情報の識別情報等を含み、また、相談場所、相談開催日、相談者、分野等を含み、
教材情報データベースは、教材情報毎に、当該教材情報の識別情報、教材名、教材データ等を含み、
活用者情報データベースは、活用者毎に、当該活用者の識別情報、氏名、居住地域、年代、趣味、連絡方法、活用ジャンル等を含む、
ことを特徴とするＩＴ活用情報表示検索システム。
【請求項５】
請求項１乃至４のいずれか１項記載のＩＴ活用情報表示システムにおいて、
ネットワークはインターネット、イントラネット、ＬＡＮ等で構成されることを特徴とするＩＴ活用情報表示検索システム。
【請求項６】
ＩＴ活用に関する種々の情報を格納するデータベース群を具備するサービスセンタが、ネットワークを介して動画投影端末および検索・表示端末と接続され、前記ＩＴ活用に関する種々の情報をネットワークを介して利用者に提供するＩＴ活用情報表示検索方法であって、
前記サービスセンタは、登録された配信スケジュールに従って、前記データベース群からＩＴ活用に関する動画情報および該動画情報に関連するＩＴ活用情報を取り出し、前記動画情報を動画投影端末へ送信し、前記活用情報を検索・表示端末へ送信し、
前記動画投影端末は、前記サーへビスセンタから送信された前記動画情報を受信して表示し、
前記検索・表示端末は、前記サービスセンタから送信された前記活用情報を受信して表示し、利用者からの検索要求を前記サービスセンタへ送信し、
前記サービスセンタは、前記検索・表示端末から送信された前記検索要求を受信し、前記データベース群を検索して検索結果を前記検索・表示端末へ送信し、前記検索・表示端末は、前記サービスセンタから送信された検索結果を受信して表示する、
ことを特徴とするＩＴ活用情報表示検索方法。
【請求項７】
請求項６記載のＩＴ活用情報表示検索方法において、
サービスセンタは、動画情報と該動画情報に関連するＩＴ活用情報中の一部の文字情報とを動画投影端末へ送信し、
前記動画投影端末は、前記サービスセンタから送信された動画情報と関連文字情報とを表示する、
ことを特徴とするＩＴ活用情報表示検索方法。
【請求項８】
請求項６もしくは７記載のＩＴ活用情報表示検索方法において、
サービスセンタは、動画情報あるいは動画情報と関連文字情報を動画投影端末へ送信後、検索・表示端末に対して利用者が該検索・表示端末を操作しているかどうかの操作状況確認要求を送信し、前記検索・表示端末から未操作の応答を受信した場合に、検索・表示端末に対して活用情報を送信する、
ことを特徴とするＩＴ活用情報表示検索方法。
【請求項９】
請求項６乃至８のいずれか１項記載のＩＴ活用情報表示検索方法において、
サービスセンタは、検索・表示端末からの検索要求に対して、検索結果一覧を前記検索・表示端末へ送信し、
前記検索・表示端末は、前記サービスセンタから送信された検索結果一覧を表示し、前記検索結果一覧から利用者が選択した情報の要求を前記サービスセンタへ送信し、
前記サービスセンタは、前記検索・表示端末から要求された情報の詳細をデータベース群から取り出して、前記検索・表示端末へ送信する、
ことを特徴とするＩＴ活用情報表示検索方法。
【請求項１０】
請求項６乃至９のいずれか１項記載のＩＴ活用情報表示検索方法において、
ＩＴ活用情報にはＩＴ活用者のＩＴ活用事例を含み、サービスセンタは、前記ＩＴ活用事例をＩＴ活用情報の一つとして提示することを特徴とするＩＴ活用情報表示検索方法。
【請求項１１】
ネットワークを介して、動画投影端末、検索表示端末及び情報登録端末と接続され、ＩＴ活用に関する種々の情報をネットワークを介して利用者に提供するＩＴ活用情報表示検索装置であって、
ＩＴ活用に関する種々の情報を格納するデータベース群と、
登録された配信スケジュールに従って、前記データベース群から動画情報および該動画情報に関連する情報を取り出し、前記動画情報を前記動画投影端末へ送信し、関連情報を前記検索・表示端末へ送信する手段と、
前記検索・表示端末からの検索要求に応じて、前記データベース群を検索し、検索結果を前記検索・表示端末へ送信する手段と、
前記情報登録端末から情報を受け付け、前記データベース群に登録する手段と、
を有する事特徴とするＩＴ活用情報表示検索装置。
【請求項１２】
請求項１１記載のＩＴ活用情報表示装置において、
データベース群は、動画投影端末に配信する動画情報を格納する動画データベースと、ＩＴ活用の文字情報、静止画情報、動画情報等の活用情報を格納する活用情報データベースと、ＩＴ活用に関する講習スケジュール情報等を格納する講習スケジュール情報等デーダベースと、ＩＴ活用に関する教材情報を格納する教材情報データベースと、前記活用情報の活用者の情報を格納する活用者情報データベースとからなることを特徴とするＩＴ活用情報表示検索装置。
【請求項１３】
請求項１２記載のＩＴ活用情報表示装置において、
動画データベースは、動画情報毎に、配信する動画データと、当該情報に関連した活用情報および活用者情報の識別情報を含み、
活用情報データベースは、活用情報毎に、当該活用情報の識別情報、活用者情報の識別情報、文字情報・静止画情報・動画情報、及び当該活用情報に関連した教材情報の識別情報を含み、
講習スケジュール情報等データベースは、講習スケジュールとして講習名、日程、開催場所、参加方法、関連した教材情報の識別情報等を含み、また、相談場所、相談開催日、相談者、分野等を含み、
教材情報データベースは、教材情報毎に、当該教材情報の識別情報、教材名、教材データ等を含み、
活用者情報データベースは、活用者毎に、当該活用者の識別情報、氏名、居住地域、年代、趣味、連絡方法、活用ジャンル等を含む、
ことを特徴とするＩＴ活用情報表示検索装置。
【発明の詳細な説明】
【０００１】
【発明の属する技術分野】
本発明は、ネットワークを通して、利用者が興味あるＩＴ活用に関する情報を検索・表示・提示するＩＴ活用情報表示検索システムおよび方法ならびにそのサービスセンタとしてのＩＴ活用情報表示検索装置に関する。
【０００２】
ここで、ＩＴ（Ｉｎｆｏｍａｔｉｏｎ　Ｔｅｃｈｎｏｌｏｇｙ：情報技術）活用とは、例えば、パーソナルコンピュータもしくは携帯情報端末もしくはワードプロセッサといった情報端末を個人の目的に応じて使用すること、また、ハーソナルコンピュータもしくは携帯情報端末もしくはワードプロセッサという情報端末に加え、ネットワーク対応専用端末およびゲーム機および持ち運びできる電話機およびテレビジョンといった端末をＬＡＮもしくはインターネットもしくはイントラネットなどのネットワークに接続して個人の目的に応じて利用することをいう。
【０００３】
【従来の技術】
従来から、利用価値のあるホームページや動静止画、音楽等のコンテンツが存在し、ネットワーク等を通じて提供されているが、ＩＴに関する知識のない者や少ない者の立場からすると、それを上手く活用するまでに至っていないのが現状である。
【０００４】
例えば、「個人もしくは団体のＩＴの利用」について考えた場合、ＩＴ利用に至るまでに、心理的な障壁やＩＴの操作性の問題が存在するが、その他にＩＴでは何ができるかわからないため無関心という状況がある。
【０００５】
また、個人・団体等がＩＴの操作はできるが、自分がどのように活用していけばよいか見出せず、その結果、継続した利用につながらないといった状況がみられる。
【０００６】
さらに、従来のように楽しいホームページ等を紹介するだけでは、実際の活用シーンが想像できにくく、自分に当てはめ利用していくということが難しい。
【０００７】
【発明が解決しようとする課題】
本発明は、従来の上記のような課題を解決するためになされたもので、ＩＴに関する知識の無い者や少ない者でも、ＩＴ活用に興味をもち、ＩＴ活用をしやすくするＩＴ活用情報表示検索システムおよび方法ならびに装置を提供することを目的とする。
【０００８】
また、本発明は、ＩＴ活用情報、もしくは（利用者が親近感を抱く）ＩＴを活用している人間（地域の人）の情報を供与するＩＴ活用情報表示検索システムおよび方法ならびに装置を提供することを目的とする。
【０００９】
【課題を解決するための手段】
本発明は、ＩＴ活用に関する種々の情報を格納するデーダベース群を具備するサービスセンタから、配信スケジュールに従って常時あるいは定期的に、利用者にＩＴ活用に興味を持たせる動画を、ネットワークを通じて動画投影端末に配信し、表示する。動画投影端末は、例えば、公共施設や街中など人目につくところに設置する。また、家庭にあっては、テレビ等が動画投影端末を兼ねてもよい。
【００１０】
動画投影端末のそばに、上記動画に関連したＩＴ活用情報の検索を受け付ける検索・表示端末を置く。家庭にあっては、パソコンなどが検索・表示端末を兼ねてもよい。配信された動画に興味を持った利用者が、より詳しくＩＴ活用情報等が欲しいと思った場合、検索・表示装置から検索し、ネットワークを通じてサービスセンタから検索結果を得る。サービスセンタは、単なるＩＴ活用方法に限らず、例えば、他人がどのようにＩＴを活用しているかという事例等を提供する。
【００１１】
サービスセンタには、ネットワークを通じて情報登録端末も接続されている。ＩＴを活用している人間（ＩＴ活用者）は、提供したいＩＴ活用情報等（単なるＩＴ活用方法に限らず、ＩＴ活用の事例、活用者のプロフィル等）を、情報登録端末からサービスセンタのデータベース群に登録しておく。
【００１２】
本発明によれば、ＩＴに関する知識のない者や少ない者も、ＩＴ活用に興味を抱き、活用方法やそのために何をすればよいかを容易に知ることができ、さらなる情報化を進めることが可能になる。
【００１３】
また、本発明では、ＩＴ活用情報を収集し、収集したＩＴ活用情報が広く人々の目に触れることで、ＩＴ活用につながる動機を生み出し、継続したＩＴ活用を促すことで、地域の情報化、また地域の活性化が可能となり、コミュニケーションの活発化にもつながる。特に地域に関するＩＴの活用を行う者から、活用情報または個人情報を提供することで、さらに地域の活性化に結びつく。
【００１４】
【発明の実施の形態】
以下に、本発明の実施の形態の一例について図面を参照して説明する。
図１は本発明の一実施形態のＩＴ活用情報表示検索システムの全体構成図である。本ＩＴ活用情報表示検索システムは、ＩＴ活用情報表示検索装置としてのサービスセンタ１、動画投影端末２、検索・表示端末３、情報登録端末４、及び、サービスセンタ１と各端末２、３、４を接続するインターネット、イントラネット、ＬＡＮ等の通信網５で構成される。
【００１５】
サービスセンタ１は、配信・同期調整部１１と検索実行部１２と情報登録部１３とデータベース管理部１４などの制御・管理部１−１、及び、動画（配信用）データベース１５と活用情報（文字・動画・静止画等）データベース１６と講習スケジュール情報データベース１７と教材情報データベース１８と活用者情報データベース１９などのデータベース群１−２からなる。なお、制御・管理部１−１には各端末２、３、４との通信プロトコル等を制御する通信制御部や、各処理部１１−１４の動作を制御する主制御部なども具備するが、図１では省略してある。動画投影端末２、検索・表示端末３、情報登録端末４は、それぞれサービスセンタ１とのアクセス部２１、３１、４１を有している。
【００１６】
サービスセンタ１の配信・同期調整部１１は、あらかじめ管理者等により登録された配信スケジュールを有し、該配信スケジュールに従い、データベース管理部１４を介して動画（配信用）データベース１５より動画情報を取り出して動画投影端末２に送信し、表示させる。また、配信・同期調整部１１は、動画投影端末２に配信した動画情報と関連した情報を活用情報データベース１６より取り出して検索・表示端末３へ送信し、表示させる。なお、活用情報データベース１６より取り出した情報の一部（文字情報）を動画投影端末２に送信して、動画と一緒に動画投影端末２に表示してもよい。
【００１７】
検索実行部１２は、検索表示端末３からの検索要求に対し、受信した条件を元に、データベース管理部１４を介して各データベース１６〜１９内を検索し、条件に合致したものを編集して、検索・表示端末３に結果として返す。
【００１８】
情報登録部１３は、情報登録端末４から登録された情報を受け付け、データベース管理部１４と連携して、各データベース１５〜１９へ格納する。例えば、新しい活用者（活用情報の提供者）の情報が登録されたときは、その活用者情報に活用者ＩＤを自動的に割り振り、活用者情報データベース１９に格納する。活用者ＩＤは活用者個々にユニークに割り振られる。また、活用者の新しい活用情報が登録された際は、その活用情報に対して活用ＩＤを自動的に割り振り、活用情報データベース１６に格納する。この活用ＩＤは活用者ＩＤに関連付けて登録され、活用ＩＤは活用情報個々にユニークに割り振られる。また、スキル情報に関して新たなスキルが登録された際は、新たに登録されたスキルに対してスキルＩＤを割り振り、教材情報データベース１８に格納する。このスキルＩＤはスキル個々にユニークに割り振られる。
【００１９】
データベース管理部１４は、情報登録部１３により情報登録端末４から登録・収集した動画（配信用）やＩＴ活用情報データ、ＩＴ活用に関連したイベント情報、例えば講習会や相談所などのデータ、必要となるスキルのデータ、本システムの利用に関するデータなどを各データベース１５〜１９に格納して管理する。また、データベース管理部１４は、配信・同期調整部１１や検索実行部１２の要求等に従い各データベース１５〜１９をアクセスして、要求された情報を配信・同期調整部１１や検索実行部１２に渡す。
【００２０】
データベース群のうち、動画（配信用）データベース１５は、ＩＴ活用に関する配信用の動画情報（例えば、ＩＴ活用のＰＲ動画）を記憶するデータベースである。活用情報データベース１６はＩＴ活用に関する詳細・具体的な情報（文字列、動画、静止画など）を記憶するデータベースである。この活用情報データベース１６に記憶される活用情報は、動画データベース１５の配信用の動画情報に関連した配信用のＩＴ活用に関する情報（文字情報等）と、検索利用者に提供するＩＴ活用の具体的な情報（ＩＴ活用の事例等）からなる。講習スケジュール情報データベース１７は、ＩＴ活用に関連した講習会のスケジュールに関するデータ、また相談所に関するデータを記憶するデータベースである。教材情報データベース１８は、ＩＴ活用で必要とされるスキルに関する情報と、それに関連した教材に関するデータを記憶するデータベースである。活用者情報データベース１９は、ＩＴ活用者（活用情報の提供者）の識別子（ＩＤ）、氏名、居住地域、年代、趣味、活用ジャンルといった活用者に関する情報を記憶するデータベースである。
【００２１】
動画投影端末２は、サービスセンタ１より配信される動画と文字情報等を表示、上映する。検索・表示端末３は、動画投影端末２と同期した配信用の活用情報の表示を行う。また、検索・表示端末３は、利用者の操作により、サービスセンタ１に対して、活用情報の検索や人の検索、講習会情報の検索などの要求を行い、サービスセンタ１からの検索情報を表示する。
【００２２】
動画投影端末２及び検索・表示端末３は、例えば、市役所や公民館などの公共施設や、その他の人が集まる場所に設置し、検索・表示端末３は気軽に触れられるようにする。また、一般家庭に設置してもよく、この場合には、テレビ等の映像端末が動画投影端末２を兼ね、パソコンが検索・表示端末３を兼ねてもよい。これは、ケーブルテレビジョンが普及している地域等で有効である。なお、動画投影端末２及び検索・表示端末３は一台で兼ねてもよい。
【００２３】
情報登録端末４は、ＩＴ活用に関する配信用の動画情報や活用情報、活用者に関する情報、講習会に関する情報、ＩＴのスキルに関する情報などを登録する端末の総称である。サービスセンタ１の管理者や活用者は、それぞれ個々の情報登録端末４を用いて所望の情報を登録する。
【００２４】
図２は本実施形態の動作の概要を示す図である。以下では、本システムの利用をイントラネット上において、実現する場合について説明する。
まず、サービスセンタ１は、配信・同期調整部１１にて、登録された配信スケジュールに従い、データベース管理部１４を介して動画情報データベース１５よりスケジュールに沿って順次動画情報を取り出し、通信網５を通じて動画投影端末２に対し配信し、表示させる（▲１▼）。同時にサービスセンタ１の配信・同期調整部１１は、データベース管理部１４を介して、動画情報に関連した活用情報を活用情報データベース１６より取り出し、検索表示端末３に送信し、表示させる（▲２▼）。
【００２５】
検索・表示端末３は、利用者の検索キーの入力もしくは検索メニューの選択により検索要求が利用者より入力されると、サービスセンタ１に対して検索要求の送信を行う（▲３▼）。サービスセンタ１は、検索・表示端末３より検索要求を受信すると、検索実行部１２にて、データベース管理部１４を介して、活用情報データベース１６内を検索キーを用いて検索を行い、検索結果を検索・表示端末３に送信し、表示させる（▲４▼）。
【００２６】
また、検索表示端末３は、講習会情報もしくは必要スキル情報もしくは相談所情報などのＩＴ活用情報の連情報の表示要求が利用者より入力された場合、該関連情報の検索要求をサービスセンタ１に対して送信する（▲５▼、▲７▼）。サービスセンタ１の検索実行部１２は検索要求に従い、データベース管理部１４を介して、講習スケジュール情報データベース１７および教材情報データベース１８内を検索し、結果を検索・表示端末３に送信し、表示させる（▲６▼、▲８▼）。
【００２７】
図３は、サービスセンタ１において、データベース管理部１４が管理する各データベース１５〜１９の構造例を示す図である。先に述べたように、各データベース１５〜１９の情報は、情報登録端末４から登録（入力）され、情報登録部１３にて受け付け、データベース管理部１４と連携して格納される。
【００２８】
動画（配信用）データベース１５には、図３（Ａ〉に示すように、配信用の動画情報として、活用者ＩＤ、活用動画（例えば、ＩＴ活用のＰＲ動画など）、活用ＩＤが格納される。活用者ＩＴは、当該動画情報に関連した活用者の識別情報（ＩＤ）を示し、活用ＩＤは、当該動画情報に関連した活用情報のＩＤを示す。なお、配信する動画に関連づけて活用者情報を提示する必要がない場合には、活用者ＩＤは例えばＮＵＬＬとする。配信用の動画情報は、例えば、ＩＴ活用のジャンル毎に作成され、動画データベース１５に登録される。
【００２９】
活用情報データベース１６には、図３（Ｂ）に示すように、活用情報として、活用ＩＤ、活用者ＩＤ、活用文字列、活用写真、活用動画、スキルＩＤ等が格納される。活用ＩＤは、当該活用情報の識別情報であり、活用者ＩＤは、当該活用情報の活用者（提供者）の識別情報である。活用文字列や活用写真や活用動画は、活用者が提供する当該活用情報の実体（ＩＤ活用事例等）であり、例えば、概要情報から詳細情報へと階層構造でリンク付けされて格納されている。スキルＩＤは、当該活用情報に関連したスキル情報の識別情報である。活用者自身や管理者などが、利用者に提供すべき活用情報を１つあるいは複数作成し、情報登録端末４から登録する。この際に、活用情報を一意に識別する活用ＩＤが自動的に付与され、活用者ＩＤは活用情報データベース１９を参照して付加される。
【００３０】
先にも述べたように、活用情報データベース１６に記憶される活用情報は、動画データベース１５の配信用の動画情報に関連した情報と、検索利用者に提供する具体的な活用情報からなるが、検索用の活用情報が配信用の情報を兼ねてもよい。
【００３１】
講習スケジュール情報データベース１７には、図３（Ｃ）に示すように、講習スケジュールとして講習名、日程、開催場所、参加方法、スキルＩＤ等が格納される。また、相談所場所、開催日、相談者、相談分野等の情報も格納される。スキルＩＤは、当該講習スケジュール情報に関連したスキルの識別情報を示す。
【００３２】
教材情報データベース１８には、図３（Ｄ）に示すように・教材データとして、スキルＩＤ、スキル名、教材名等が格納される。スキルＩＤは、当該教材データの識別情報であり、教材データを登録した際に自動的に付与される。
【００３３】
活用者情報データベース１９には、図３（Ｅ）に示すように、活用者情報として、活用者ＩＤ、活用者氏名、居住地域、年代・趣味、連絡方法、活用ジャンル等の情報が格納される。各活用者（情報提供者）は、活用情報等の登録に先立ち、必要とする活用者のデータを情報登録端末４から登録する。この際に、当該活用者を一意に識別する活用者ＩＤが自動的に付与される。この活用者ＩＤが、動画情報（配信用）や活用情報の登録の際に利用されることになる。
【００３４】
図４は、サービスセンタ１から、動画投影端末２への動画情報の配信および、検索表示端末３への動画の情報に関連した文字およびその他情報を送信する処理の流れの一例を示す。
【００３５】
サービスセンタ１は、配信・同期調整部１３にて、登録された配信スケジュールを確認し（ステップ１０１）、データベース管理部１４を介して、該当する動画情報をデータベース１５より取り出し（ステップ１０２）、次に、該動画情報に付加された活用ＩＤおよび活用者ＩＤをもとに、データベース１６およびデータベース１９より該動画情報に関連した活用情報および活用者情報の取り出しを行う（ステップ１０３）。なお、該当動画情報の活用者ＩＤがＮＵＬＬの場合には、活用者情報の取り出しは行わない。ステップ１０２で取り出した動画情報およびステップ１０３で取り出した活用情報や活用者情報の一部を投影端末２へ送信する（ステップ１０４）。例えば、活用情報は文字列（文字情報）を、活用者情報は氏名、趣味等を送信する。動画投影端末２では、サービスセンタ１からデータを受信し、動画の上映と活用情報等の表示を行う（ステップ１０５、１０６）。
【００３６】
一方、サービスセンタ１は、ステップ１０４の終了後、検索・表示端末３に対して、検索・表示端末３の現在利用者が利用しているかどうかの確認メッセージを送信する（ステップ１０７〉。検索・表示端末３は、サービスセンタ１から操作状況確認メッセージを受信すると（ステップ１０８）、設定した方法に従い状況の確認を行い（ステップ１０９）、操作状況について応答をサービスセンタ１に送信する（ステップ１１０）。ここで、設定した方法とは、例えば最後に操作されてからの時間を測定し、その時間が規定値以上（例えば６０秒など）ならば活用されていないとみなす等である。サービスセンタ１は、検索・表示端末３から操作状況についての情報を受信し（ステップ１１１）、検索・表示装置３が操作中か未操作中かを判断して処理を決定する（ステップ１１２）。検索・表示端末３が利用されていない場合、ステップ１０３でデータベース１６より取り出した活用情報を検索・表示端末３に送信する（ステップ１１３）。検索・表示端末３は、サービスセンタ１から活用情報を受信し（ステップ１１４）、表示する
（ステップ１１５）。ステップ１１２において検索・表示端末３が操作中と判断された場合、サービスセンタ１はステップ１１３をスキップする。その後、サービスセンタ１はステップ１０１へ戻り、配信スケジュールに従って、順次、動画の配信と関連する活用情報等の送信を繰り返す。
【００３７】
図５は、検索表示端末３から、検索機能を実行した際の処理の流れを示す。
検索・表示端末３において、検索画面を表示し（ステップ１１６）、利用者により、検索キーの入力、またはメニュー等から検索条件の選択が行われる（ステップ１１７）。検索・表示端末３は、ステップ１１７で入力もしくは選択された検索条件をサービスセンタ１に送信する（ステップ１１８）。サービスセンタ１は、検索・表示端末３から検索条件を受信すると（ステップ１１９）、検索実行部１２にて検索条件に従い、データベース管理部１４を介して、データベース１６およびデータベース１９などより検索条件に一致する情報を取り出し（ステップ１２０）、該取り出した情報の一覧を検索・表示端末３へ送信する（ステップ１２１）。検索・表示端末３は、サービスセンタ１から検索結果の一覧を受信し（ステップ１２２）、表示する（ステップ１２３）。この検索結果の一覧において、所望する情報がない、もしくは終了させたい場合は、検索のやり直し、もしくは検索を終了させることができる（ステップ１２４）。検索結果の一覧より、希望する情報を利用者が選択すると（ステップ１２５）、検索・表示端末３は、選択された情報の要求をサービスセンタ１に送信する（ステップ１２６）。サービスセンタ１は、検索・表示端末３から選択された情報の要求を受信すると（ステップ１２７）、検索実行部１２にてデータベース管理部１４を介して、該当情報の詳細をデータベース１６およびデータベース１９などより取りだし（ステップ１２８）、検索・表示端末３に送信する（ステップ１２９）。検索・表示端末３は、サービスセンタ１から送信された情報を受信し（ステップ１３０）、詳細な活用情報等を表示する（ステップ１３１）。
【００３８】
図６は、検索表示端末３から、必要スキル表示要求を実行した際の処理の流れを示す。
検索・表示端末３において、利用者が必要となるスキルの表示を要求したとき（ステップ１３２）、検索・表示端末３は、スキル表示要求をサービスセンタ１に送信する（ステップ１３３）。サービスセンタは、検索・表示端末３からスキル表示要求を受信すると（ステップ１３４）、検索実行部１２にてデータベース管理部１４を介して、データベース１８から関連するデータを取り出し（ステップ１３５）、必要スキルおよび教材に関する情報を検索・表示端末３に送信する（ステップ１３６）。検索・表示端末３は、必要スキルおよび教材情報をサービスセンタ１から受信し（ステップ１３７）、受信した必要スキルおよび教材情報の表示を行う（ステップ１３８）。
【００３９】
図７は、検索表示端末３から、講習会スケジュール、相談所情報、教材情報などのイベント関連情報の表示要求を実行した際の処理の流れを示す。
検索・表示端末３において、利用者が講習会関連情報の表示を要求したとき
（ステップ１３９）、検索・表示端末３は、講習表示要求をサービスセンタ１に送信する（ステップ１４０）。サービスセンタ１は、検索・表示端末３から講習表示要求を受信すると（ステップ１４１）、検索実行部１２にてデータベース管理部１４を介して、データベース１７から関連するデータを取り出し（ステップ１４２）、講習会に関する情報および相談所に関する情報等を検索・表示端末３に送信する（ステップ１４３）。検索・表示端末３は、サービスセンタ１から講習会に関する情報および相談所に関する情報等を受信し（ステップ１４４）、該受信した必講習会に関する情報および相談所に関する情報等の表示を行う（ステップ１４５）。
【００４０】
なお、サービスセンタ１は、検索機能の実行の際に、データベース１６から活用情報を取り出し、それにスキルＩＤが付加されている場合、該スキルＩＤをもとにデータベース１８から必要スキルおよび教材情報を取り出し、活用情報とともに検索・表示端末３に送信することもできる。また、サービスセンタ１は、スキル表示要求の実行の際に、データベース１８から必要スキルおよび教材情報を取り出すとともに、そのスキルＩＤをもとにデータベース１６から関連する活用情報を取り出し、必要スキルおよび教材情報、活用情報を検索・表示端末３に送信することもできる。同様に、スキルＩＤをもとに、データベース１７から関連する講習会情報等を取り出し、これを検索・表示端末３に送信することもできる。また、逆に講習表示要求の実行の際に、データベース１７からデータを取り出して、それに付加されているスキルＩＤをもとに、データベース１８から関連するスキルおよび教材情報を取り出し、検索・表示端末３に送信することもできる。
【００４１】
次に、本ＩＤ活用情報表示・検索システムの具体的な適用例について説明する。
［適用例１］
これは、ＩＴ活用に関する情報を、わかりやすく動画情報として配信表示しまた、文字情報として提供し、ＩＴ活用に対するモチベーションを与え、またそこに示された活用方法を実施するための知識を身につけるための講習会・相談所などに関する情報を提供するものである。本システムを活用する対象者としては、一般市民、市民団体メンバー、学生などが挙げられる。なお、この適用例では、ＩＴを活用する人の情報は不要とする。
【００４２】
図８は動画投影端末２の表示例を示す図である。動画投影端末２は動画表示部と文字情報表示部を持ち、動画表示部には配信された動画を表示し、文字情報表示部には動画と同期して送信された関連文字情報を表示する。例えば、ここで示した動画投影端末２は、検索・表示端末３とともに市役所や公民館などの公共施設や、そのほかの人が集まる場所に設置し、検索・表示端末３は気軽に触れられるようにする。利用者がＩＴ活用に興味をもつなどして、詳細な情報の検索、表示を行う場合は、検索・表示端末３に表示された検索画面に従い利用する。
【００４３】
図９は検索・表示端末３における検索画面の一例を示す図である。利用者が検索したい言葉を入力することができる。またその他に例えばスポーツについて、文芸について、料理についてなど、ＩＴを活用する分野をあらかじめ示されたメニュー表示より検索項目を選択できる。また詳細な検索では検索キーを複数入力できる。図１０は検索結果の一覧表示例を示す図である。検索された活用情報に関する、活用例、写真が表示される。さらに詳しい情報を表示させる場合は、詳細情報の要求をサービスセンタ１に行うことで閲覧できる。図１１は詳細活用情報の表示例を示す図である。活用についての詳細文章や、写真、動画などが閲覧できる。図１２は紹介された活用事例を実現するためには何をすればよいかを表示する画面を示す一例である。本実施例では相談所の情報、講習会のスケジュール、また教材の情報を一例として示している。
【００４４】
［適用例２］
これは、先の適用例１に示したＩＴ活用に関する情報を「単なる活用方法情報」ではなく、「ＩＴを活用する人の情報」（どのようにＩＴを活用しているかなど）として提供するものである。このような情報を見せることで、親しみやすさを与え、ＩＴ活用に向かいやすくなるよう手助けを行う。
【００４５】
図１３は動画投影端末２の表示例を示す図である。動画表示部には、先の適用例１の場合と同様に、ＩＴ活用に関する動画情報を表示するが、文字情報表示部には、活用者の名前と居住地域を表示する。図１４は検索・表示端末３における検索画面の一例を示す図である。検索時に活用者の情報をキーとして検索することができる。図１５は検索結果の一覧表示例を示す図である。検索された活用情報に関する、活用者の名前、居住地域、活用例、写真（静止画）が表示される。さらに詳しい情報を表示させる場合は、詳細情報の要求をサービスセンタ１に行うことで閲覧できる。図１６は詳細活用情報の表示例を示す図である。活用についての活用者のコメントや、写真（静止画）、動画などが閲覧できる。図１７は紹介された活用事例を実現するためには何をすればよいかを表示する画面を示す一例である。本実施例では相談所の情報、講習会のスケジュール、また教材の情報を一例として示したある。
【００４６】
なお、図１で示したシステムにおける各装置の一部もしくは全部の処理機能をコンピュータのプログラムで構成し、そのプログラムをコンピュータを用いて実行して本発明を実現することができること、あるいは、図４〜図７で示した処理手順をコンピュータのプログラムで構成し、そのプログラムをコンピュータに実行させることができることは言うまでもない。また、コンピュータでその処理機能を実現するためのプログラム、あるいは、コンピュータにその処理手順を実行させるためのプログラムを、そのコンピュータが読み取り可能な記録媒体、例えば、ＦＤや、ＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【００４７】
【発明の効果】
以上説明したように、本発明によれば、市民や団体などが、これからＩＴを活用しようとする際、活用方法やそのために何をすればよいのか容易にを知ることができ、情報化を進めることができる。また、地域の人間のＩＴ活用情報や地域での講習会の情報を流すことにより、地域でのコミュニケーションが活性化され、情報化のみならず、地域の活性化につながる。
【図面の簡単な説明】
【図１】本発明のＩＴ活用情報表示・検索システムの一実施形態の全体構成図である。
【図２】図１のシステムの動作概要を示す図である．
【図３】サービスセンタ１において管理する各データベースの構造例を示す図である。
【図４】サービスセンタから動画表示端末および検索・表示端末へ情報を送る処理の流れを示す図である。
【図５】検索・表示端末から検索要求を送信した際の、サービスセンタと検索・表示端末の処理の流れを示す図である。
【図６】検索・表示端末から必要スキル情報要求した際の、サービスセンタ検索・表示端末との処理の流れを示す図である。
【図７】検索・表示端末３から講習会関連情報要求を送信した際の、サービスセンタと検索・表示端末の処理の流れを示す図である。
【図８】適用例１における動画投影端末２の表示例について示す図である。
【図９】適用例１における検索・表示端末３における検索画面の表示例を示す図である。
【図１０】適用例１における検索結果一覧表示の例を示す図である。
【図１１】適用例１における検索結果一覧より詳細情報を表示させた一例を示す図である。
【図１２】適用例１における活用情報に関連する、相談所、講習会スケジュール、教材情報などの情報の表示一例を示す図である。
【図１３】適用例２における動画投影端末の表示例について示す図である。
【図１４】適用例２における検索・表示端末における検索画面の表示例を示す図である。
【図１５】適用例２における検索結果一覧表示の例を示す図である。
【図１６】適用例２における検索結果一覧より詳細に情報を表示させた一例を示す図である。
【図１７】適用例２における活用情報に関連する、相談所、講習会スケジュール、教材情報などの情報の表示一例を示す図である。
【符号の説明】
１　サービスセンタ
２　動画投影端末
３　検索・表示端末
４　情報登録端末
５　通信網
１１　配信・同期調整部
１２　検索実行部
１３　情報登録部
１４　データベース管理部
１５　動画（配信用）データベース
１６　活用情報（文字・動画・静止画）データベース
１７　講習スケジュール情報等データベース
１８　教材情報データベース
１９　活用者情報データベース
【図１】
2004038324.tif 000003
【図２】
2004038324.tif 000004
【図３】
2004038324.tif 000005
【図４】
2004038324.tif 000006
【図５】
2004038324.tif 000007
【図６】
2004038324.tif 000008
【図７】
2004038324.tif 000009
【図８】
2004038324.tif 000010
【図９】
2004038324.tif 000011
【図１０】
2004038324.tif 000012
【図１１】
2004038324.tif 000013
【図１２】
2004038324.tif 000014
【図１３】
2004038324.tif 000015
【図１４】
2004038324.tif 000016
【図１５】
2004038324.tif 000017
【図１６】
2004038324.tif 000018
【図１７】
2004038324.tif 000019